(57)【特許請求の範囲】
【請求項１】
原稿画像を読み取る画像読み取り手段と、この画像読み取り手段で生成された多色画像信号を入力する入力手段と、多色入力画像が有彩色原稿であるか無彩原稿であるかを判別する判別手段と、出力を色ごとに分色して出力するか、何れか一色のみで出力するかを選択する選択手段と、この選択手段によって選択された出力モードで画像を具現化して出力する出力手段と、自動原稿送り装置とを備えたカラー画像形成装置において、
自動原稿送り装置から原稿を給紙することにより原稿のサイズを検知する検知手段と、
自動原稿送り装置からの原稿給紙時、画像読み取り手段を予め原稿を読み取れる位置まで移動し、給紙中の原稿を読み取り、前記検知手段により検知した原稿サイズと倍率とに基づいて決まる範囲について、多色入力画像が有彩色原稿であるか無彩原稿であるかを判別し、判別結果に応じてシングルカラー処理かフルカラー処理の何れかを実行する制御手段を備えたことを特徴とするカラー画像形成装置。
【請求項２】
請求項１記載のカラー画像形成装置において、前記制御手段は、自動原稿送り装置より画像読み取り手段へ原稿の先端及び後端のタイミング信号及び主走査、副走査のサイズを通知し、通知されたデータ及び転写紙サイズ及び変倍率、モードにより多色入力画像が有彩色原稿であるか無彩原稿であるかを判別する領域及びタイミングを決める制御を行うことを特徴とするカラー画像形成装置。
【請求項３】
請求項１記載のカラー画像形成装置において、前記制御手段は、見開き原稿分割時は自動原稿送り装置より画像読み取り手段へ原稿の先端及び後端のタイミング及び主走査、副走査のサイズを１枚目と２枚目の原稿各々通知し、通知されたデータ、転写紙サイズ及び変倍率により多色入力画像が有彩色原稿であるか無彩原稿であるかを判別する領域及びタイミングを決め、１枚目及び２枚目の判別結果を記憶すると共に、各々の原稿コピー時、この判別結果に応じて画像を具現化して出力する制御を行うことを特徴とするカラー画像形成装置。
【請求項４】
請求項１記載のカラー画像形成装置において、前記制御手段は、片面原稿２枚集約時は自動原稿送り装置より画像読み取り手段へ１枚目の原稿の先端及び後端、２枚目の原稿の先端及び後端を示すタイミング信号及び主走査、副走査のサイズを通知し、２枚分の画像範囲データ、転写紙サイズ及び変倍率により、多色入力画像が有彩色原稿であるか無彩原稿であるかを判別する領域及びタイミングを決める制御を行うことを特徴とするカラー画像形成装置。
【請求項５】
請求項１記載のカラー画像形成装置において、前記制御手段は、両面原稿分割及び両面原稿両面コピー時は、自動原稿送り装置より画像読み取り手段へ原稿主走査、副走査のサイズを通知し、原稿反転動作中に画像読み取り手段を原稿の副走査分移動させて、原稿反転後、画像読み取り手段の停止位置まで原稿を戻した時点で原稿の先端及び後端のタイミングを通知し、通知されたデータ、転写紙サイズ及び変倍率により、多色入力画像が有彩色原稿であるか無彩原稿であるかを判別する制御を行うことを特徴とするカラー画像形成装置。
【請求項６】
請求項１記載のカラー画像形成装置において、前記制御手段は、多色入力画像が有彩色原稿であるか無彩原稿であるかを判別した後、正規の位置に画像読み取り手段を戻し、コピー動作を行わせることを特徴とするカラー画像形成装置。
【発明の詳細な説明】
【０００１】
【発明の属する技術分野】
本発明は、ディジタルカラー複写機、カラーファクシミリなどのカラー画像形成装置に係り、特にその動作制御及び画像信号処理技術に関するものである。
【０００２】
【従来の技術】
従来、ディジタルカラー複写機やカラーファクシミリなどにおいて、入力カラー信号によって入力画像の有彩色領域と無彩色領域を判別し、さらにその結果に基づいて入力画像全体が無彩色原稿か有彩色原稿かを判定して、この判定結果で種々の処理内容を切り替えることがなされている。また複数の原稿を連続してコピーをとるために自動原稿送り装置（以下、ＡＤＦ）というものがある。
【０００３】
例えば、ある種のカラー複写機においては、光学的走査をすることによって画像を入力するスキャナを入力手段として備え、画像再生ユニットを１組だけ備え、複数回コピープロセスを繰り返すことによってフルカラー画像を得るようになっている。すなわち、シアン（Ｃ）、マゼンタ（Ｍ）、イエロー（Ｙ）、及びブラック（Ｂｋ）の４つ（またはＣ，Ｍ，Ｙの３つのみ）のそれぞれの基本色に関するコピープロセスを順番に実行し、それらの色を１枚の転写紙上に重ねて転写する。また単色モード（シングルカラーモード）を実行する場合は、１回のコピープロセスで１つの画像をコピーする。
【０００４】
従って、この種の複写機においては、フルカラーモードと単色モードではコピー動作の所要時間が大幅に変わるので、オペレータはカラーモードの切り替えに注意する必要があり、原稿の種類に応じてカラーモードを適宜切り換える操作を行わなければならない。
【０００５】
この種のモードの切り換えの煩わしさを解消するために、特開昭６３−１０７２７４号公報の技術においては、原稿が特定色か否か（または特定色のみで構成されている原稿であるか否か）を判定し、特定色のみのシーケンス動作かフルカラーのシーケンス動作かを切り換えるようにしている。ここで特定色を黒とした有彩色／無彩色自動切り換え機能を搭載したカラー複写機が既に発売されている。
【０００６】
ところで動作としては、プレスキャンによって原稿が有彩色か無彩色かを判定し、その後、フルカラーモードで動作するか白黒モードで動作するかを決定し制御するもの（プレスキャン方式）と、第１作像色を黒とし、黒作像時に判定し以降の作像色のための動作を続けるかこのまま転写排紙を行うかを決定し制御するもの（プレスキャンレス方式）との２通りの方式がある。
【０００７】
【発明が解決しようとする課題】
しかしながら、前者の場合は、プレスキャンのためファーストコピータイムが増加してしまい作業効率が悪くなってしまう。
【０００８】
また後者の場合は、作像時のモードが写真モードであったり画像分離（画像の微細エリア内または画素単位で線画部か絵柄部かを判定し、各種処理を切り換える）モードの場合の絵柄部では、一般的にフルカラー絵柄部の深みの再現性を良くするために下色除去（ＵＣＲ）量を制限しているため、白黒判定時、黒の濃度が下がってしまったり、作像されない部分が出て来てしまったりするという不具合がある。すなわちプレスキャンレス時は、原稿を読みながら黒の現像を行うためで、その際、フルカラー時の黒の処理をしてしまうので濃度が下がってしまう。
【０００９】
本発明は、このような背景に鑑みてなされたものであり、ファーストコピータイムを増加させないプレスキャンレス方式による原稿有彩／無彩自動判定方式（ＡＣＳ；Ａｕｔｏ  Ｃｏｌｏｒ  Ｓｅｌｅｃｔ）の採用を前提とし、白黒判定時、黒の濃度が下がったり、作像されない部分が出てくることを防止することができるカラー画像形成装置を提供することを目的とする。
【００１０】
【課題を解決するための手段】
請求項１に記載のカラー画像形成装置は、原稿画像を読み取る画像読み取り手段と、この画像読み取り手段で生成された多色画像信号を入力する入力手段と、多色入力画像が有彩色原稿であるか無彩原稿であるかを判別する判別手段と、出力を色ごとに分色して出力するか、何れか一色のみで出力するかを選択する選択手段と、この選択手段によって選択された出力モードで画像を具現化して出力する出力手段と、自動原稿送り装置とを備えたカラー画像形成装置において、
自動原稿送り装置から原稿を給紙することにより原稿のサイズを検知する検知手段と、
自動原稿送り装置からの原稿給紙時、画像読み取り手段を予め原稿を読み取れる位置まで移動し、給紙中の原稿を読み取り、前記検知手段により検知した原稿サイズと倍率とに基づいて決まる範囲について、多色入力画像が有彩色原稿であるか無彩原稿であるかを判別し、判別結果に応じてシングルカラー処理かフルカラー処理の何れかを実行する制御手段を備えたことを特徴とする。
【００１１】
請求項２に記載のカラー画像形成装置は、請求項１記載のカラー画像形成装置において、前記制御手段は、自動原稿送り装置より画像読み取り手段へ原稿の先端及び後端のタイミング信号及び主走査、副走査のサイズを通知し、通知されたデータ及び転写紙サイズ及び変倍率、モードにより多色入力画像が有彩色原稿であるか無彩原稿であるかを判別する領域及びタイミングを決める制御を行うことを特徴とする。
【００１２】
請求項３に記載のカラー画像形成装置は、請求項１記載のカラー画像形成装置において、前記制御手段は、見開き原稿分割時は自動原稿送り装置より画像読み取り手段へ原稿の先端及び後端のタイミング及び主走査、副走査のサイズを１枚目と２枚目の原稿各々通知し、通知されたデータ、転写紙サイズ及び変倍率により多色入力画像が有彩色原稿であるか無彩原稿であるかを判別する領域及びタイミングを決め、１枚目及び２枚目の判別結果を記憶すると共に、各々の原稿コピー時、この判別結果に応じて画像を具現化して出力する制御を行うことを特徴とする。
【００１３】
請求項４に記載のカラー画像形成装置は、請求項１記載のカラー画像形成装置において、前記制御手段は、片面原稿２枚集約時は自動原稿送り装置より画像読み取り手段へ１枚目の原稿の先端及び後端、２枚目の原稿の先端及び後端を示すタイミング信号及び主走査、副走査のサイズを通知し、２枚分の画像範囲データ、転写紙サイズ及び変倍率により、多色入力画像が有彩色原稿であるか無彩原稿であるかを判別する領域及びタイミングを決める制御を行うことを特徴とするカラー画像形成装置。
【００１４】
請求項５に記載のカラー画像形成装置は、請求項１記載のカラー画像形成装置において、前記制御手段は、両面原稿分割及び両面原稿両面コピー時は、自動原稿送り装置より画像読み取り手段へ原稿主走査、副走査のサイズを通知し、原稿反転動作中に画像読み取り手段を原稿の副走査分移動させて、原稿反転後、画像読み取り手段の停止位置まで原稿を戻した時点で原稿の先端及び後端のタイミングを通知し、通知されたデータ、転写紙サイズ及び変倍率により、多色入力画像が有彩色原稿であるか無彩原稿であるかを判別する制御を行うことを特徴とするカラー画像形成装置。
【００１５】
請求項６に記載のカラー画像形成装置は、請求項１記載のカラー画像形成装置において、前記制御手段は、多色入力画像が有彩色原稿であるか無彩原稿であるかを判別した後、正規の位置に画像読み取り手段を戻し、コピー動作を行わせることを特徴とするカラー画像形成装置。
【００１６】
このように、ＡＤＦ使用時、各モードにおいて、ＡＤＦ原稿給紙中に原稿が有彩か無彩かを判別することにより、ファーストコピーまでの時間を遅延することなく、無彩時は白黒モードで、それ以外はフルカラーモードで複写動作を行うことにより、白黒判定時の黒の濃度が下がったり、作像されない部分が出てきてしまったりするという不具合を解決できる。
【００１７】
【発明の実施の形態】
以下、本発明の実施の形態を添付図面を参照しながら説明する。
図１は１ドラム方式のディジタルカラー複写機の構成図である。
この複写機は、レーザプリンタ１００、ＡＤＦ２００、操作ボード３００、イメージスキャナ４００を備えている。
【００１８】
まず、レーザプリンタ１００を説明する。
画像の再生は感光体ドラム１上で行われる。感光体ドラム１の周囲には、帯電チャージャ５、書き込みユニット３、現像ユニット４、転写ドラム２、クリーニングユニット６などが備わっている。
【００１９】
感光体ドラム１の表面は、まず帯電チャージャ５によって生じるコロナ電流によって一様に高電位に帯電する。この面に書き込みユニット３の発するレーザ光が照射されると、その光の強度に応じて帯電電位が変化する。すなわちレーザダイオードが発するレーザ光の照射の有無に応じた電位分布が感光体ドラム１上に形成される。
【００２０】
書き込みユニット３の、図示しないレーザダイオードが発するレーザ光は、多面鏡３ｂ、レンズ３ｃ、ミラー３ｄ、及びレンズ３ｅを通って感光体ドラム１の表面に照射される。多面鏡３ｂはモータ３ａによって高速で定速回転駆動される。
【００２１】
制御装置は、記録すべき画像に対応する画素単位の２値信号（記録有／記録無）を、各々の画素位置が多面鏡３ｂの回転位置と同期するようにレーザダイオードに印加する。つまり、画像の各走査位置で、その画素の濃度（記録有／記録無）に応じてレーザ光がオン／オフ制御される。
【００２２】
従って、感光体ドラム１上に形成される電位分布は、原稿画像の濃淡に対応した静電潜像を構成する。この静電潜像は、書き込みユニット３よりも下流に配置された現像ユニット４のトナーによって可視化される。この例では、現像ユニット４には、４組の現像器４Ｍ，４Ｃ，４Ｙ、及び４Ｂｋが備わっており、それぞれの現像器には、Ｍ，Ｃ，Ｙ、及びＢｋの互いに色の異なるトナーが保持されている。
【００２３】
このプリンタの場合、４つの現像器の何れか１つが選択的に付勢されるので、静電潜像はＭ，Ｃ，ＹまたはＢｋ色のトナーで可視化される。
【００２４】
一方、カセット１１に保持された転写紙は、給紙コロ１２によって繰り出され、レジストローラ１３を介して転写ドラム２の表面に送り込まれ、その表面に重なった状態で、転写ドラム２の回転に伴って移動する。そして感光体ドラム１の表面に近接した状態で、転写チャージャ７の付勢によって感光体ドラム１上に形成されたトナー像が転写紙の表面に転写される。
【００２５】
単色モードの場合には、トナー像の転写が終了した転写紙は、分離チャージャ８及び分離爪の作用を受けて転写ドラム２から分離され、定着器９で定着されて排紙トレイ１０に排紙される。フルカラーモードの場合には、Ｂｋ，Ｍ，Ｃ及びＹの４色を１枚の転写紙上に重ねる必要がある。
【００２６】
その場合、まず感光体ドラム１上にＢｋ色のトナー像を形成してそれを転写紙に転写した後、転写紙を転写ドラム２から分離することなく次に感光体ドラム１上にＭ色のトナー像を形成し、そのトナー像を再び転写紙に転写する。さらにＣ色及びＹ色についても感光体ドラム１上へのトナー像の形成とそれの転写紙への転写を行う。つまり、トナー像の形成と転写のプロセスを４回繰り返すことによって、１つのカラー像が転写紙上に形成される。全てのトナー像の転写が終了すると、転写紙は転写ドラム２から分離され、定着器９でトナー像を定着した後に排紙トレイ１０に排出される。
【００２７】
ＡＤＦ２００は、イメージスキャナ４００の上方に配置してある。原稿台２１０上には多数の原稿を積載した状態で保持することができる。給紙動作を行う場合、呼出コロ２１２が最上部の原稿上面に当接し、回転して当接した原稿を繰り出す。重送を避けるための分離コロ２１３が設けてある。所定の位置まで繰り出された原稿は、プルアウトローラ２１７及び搬送ベルト２１６の駆動によってイメージスキャナ４００のコンタクトガラス４０１上をさらに搬送され、所定の読み取り位置まで進んだとき、すなわち原稿の先端がコンタクトガラス４０１の左端位置に達したときに停止する。読み取りが終了すると搬送ベルト２１６が再び駆動されるのでコンタクトガラス４０１上の原稿は排紙され、次の原稿が読み取り位置に送られる。
【００２８】
呼出コロ２１２の手前には原稿台２１０上に原稿が有るか否かを検知するための光学センサ２１１が備わっている。また分離コロ２１３とプルアウトローラ２１７の間には原稿の先端及びサイズを検知するための光学センサ２１４が備わっている。光学センサ２１４は、主走査方向（紙面に垂直な方向）の互いに異なる位置に配置された複数のセンサで構成されており、それらのセンサの検出状態の組み合わせによって主走査方向の原稿サイズ、すなわち原稿幅を検知することができる。
【００２９】
また、図示しない駆動モータに、回転量に応じたパルスを出力するパルス発生器が設けられており、ＡＤＦ２００の制御装置は、前記パルス発生器のパルス数及び光学センサ２１４を原稿が通過することによって副走査方向の原稿サイズ、すなわち原稿の長さ及び原稿の移動量を検知することが可能となり、原稿サイズ及び原稿の先端及び後端を示す信号を発生することを可能とする。
【００３０】
なお、呼出コロ２１２及び分離コロ２１３は給紙モータによって駆動され、プルアウトローラ２１７及び搬送ベルト２１６は搬送モータによって駆動される。プルアウトローラ２１７の下流に配置された光学センサ２１５はレジストセンサである。
【００３１】
イメージスキャナ４００は、コンタクトガラス４０１の下方に配置された画像読み取り部を図の左右方向に機械的に駆動し、それを副走査する。照明用のランプ４０２から出た光は、コンタクトガラス４０１上に載置される原稿の表面で、原稿画像の濃度に応じて反射する。この反射光、すなわち検出された光像は、多数のミラー及びレンズを通り、ダイクロイックプリズム４１０に入射する。ダイクロイックプリズム４１０は入射光を波長に応じて、Ｒ，Ｇ，Ｂの３色に分光する。分光された３つの光は、それぞれ互いに異なる一次元ＣＣＤイメージセンサに入射する。従って、イメージスキャナ４００に備わった３つの一次元イメージセンサによって原稿画像上の主走査方向１ラインのＲ，Ｇ，Ｂの各色成分を同時に検出することができる。画像読み取り部の副走査によって原稿の二次元画像を読み取ることができる。
【００３２】
図２は本発明の一実施の形態に係るディジタルカラー複写機のシステムブロック図である。
この装置全体の制御は、マイクロコンピュータなどで構成されるシステムコントローラ２０によって制御される。同期制御回路３１は、制御タイミングの基準となるクロックパルスを発生し、また各制御ユニット間の信号の同期をとるために各種の信号を入力し、各種の信号を出力する。この例では、走査タイミングの基になる主走査同期信号はレーザプリンタ１００の多面鏡の走査位置に同期して現れる。
【００３３】
イメージスキャナ４００は、読み取ったＲ，Ｇ，Ｂ各色の画像信号をＡ／Ｄ変換し、各々８ビットのカラー画像情報として出力する。この画像情報は、画像処理ユニット内で各種処理を受けた後でレーザプリンタ１００に出力される。
【００３４】
画像処理ユニットには、γ補正部２１、補色生成部２２、ＵＣＲ部２３、セレクタ２４，２５、階調処理部２６、有彩無彩判定部２７、及び画像分離部２８、さらにはディレイメモリ２９、外部Ｉ／Ｆ３０の各ユニットが備わっている。
【００３５】
補色生成部２２では、Ｒ，Ｇ，Ｂのそれぞれの情報をマスキング方程式等を使ってＣ，Ｍ，Ｙ各色の情報に変換する。ＵＣＲ部２３では、Ｃ，Ｍ，Ｙの最小値からＢｋを算出し、入力のＹ，Ｍ，Ｃ信号から黒成分を除去する。ＵＣＲ部２３では、文字モード、写真モードで異なる黒量を出力するようになっている。ＵＣＲ部２３に関しては後にさらに詳しく述べる。
【００３６】
また、γ補正部２１の出力は、色補正部（補色生成部２２）と同時に有彩無彩判定部２７、及び画像分離部２８に送られる。有彩無彩判定部２７では、画素毎、または微小領域ブロック毎に入力画像が有彩であるか無彩であるかを判定する。また、画像分離部２８では、画素毎または微小領域ブロック毎に、線画であるか絵柄部であるかを判定する。判定信号は、ＵＣＲ部２３、階調処理部２６に送られ、黒量の選択、ディザパターンの選択等に用いられる。
【００３７】
セレクタ２４は、システムコントローラ２０からの指示に応じて入力されるＹ，Ｍ，Ｃ，Ｂｋ何れか１つを選択的に出力し、階調処理部２６に印加する。階調処理部２６は入力される８ビットの濃度情報にディザ処理を行うようになっている。ディザ処理された画像情報がレーザプリンタ１００に印加される。
【００３８】
図３（ａ），（ｂ）はフルカラーモード時のＵＣＲの説明図である。
図３を参照しながら、通常のフルカラーモード時のＵＣＲを説明する。文字モードあるいは分離モード時、画像分離信号が文字の場合、Ｒ，Ｇ，ＢからＣ，Ｍ，Ｙを非線形マトリックス演算により算出し、Ｃ，Ｍ，Ｙの最小値をＢｋとする。さらにＣ，Ｍ，ＹからＢｋを減算し、新たにＣ′，Ｍ′，Ｙ′をＣ，Ｍ，Ｙ信号として出力する。
【００３９】
ここで、画素毎または微小領域ブロック毎の有彩無彩判定信号が無彩と判定していたら、Ｃ，Ｍ，Ｙ信号を０にしてもよい。また、写真モードあるいは画像分離モード時の画像分離信号が絵柄の場合、Ｃ，Ｍ，Ｙの最小値そのものをＢｋとするのではなく、最小値の７０％から９０％程度をＢｋとする。
【００４０】
この比率は、全ての最小値に対して一定でなくてもよく、データが小さい場合は殆ど０％で、データが大きくなるに従って比率を大きくしていく方式（スケルトンブラック法）でもよい。何れにしても、このように黒量を１００％としないのは、記録画像全域に渡って黒成分が混入することになるので、Ｃ，Ｍ，Ｙと階調の整合が取り難く、フルカラー画像の深みが無くなってしまうという問題点があるためである。
【００４１】
しかし、１００％にしても、この後の階調処理のパラメータ等を制御することによって８０％程度の場合に比べ画質劣化を極力抑えられるようにできるのも事実である。このようにして算出されたＢｋをＣ，Ｍ，Ｙから減算し、新たなＣ，Ｍ，Ｙとするのは文字の場合と同様である。
ここで、ＵＣＲ回路を単純化するために、Ｒ，Ｇ，ＢからＣ，Ｍ，Ｙを求めるときに同時にＢｋを算出し、ＵＣＲでは単に減算するようにしてもよい。
【００４２】
さて、Ｂｋ，Ｃ，Ｍ，Ｙ，Ｒ，Ｇ，Ｂなどシングルカラーモードの場合は、予め色補正によってＲ，Ｇ，Ｂ信号から全ての色成分を含む信号を算出しておき（例えば、Ｒ：Ｇ：Ｂを３：６：１として）ＵＣＲではこの信号そのものを出力する。
【００４３】
システムコントローラ２０では、シングルカラーの選択がＢｋ，Ｃ，Ｍ，Ｙ
の場合は何れかの作像ユニットを選択し制御する。また、Ｒ，Ｇ，Ｂ等２回以上の作像に必要な色が選択されていた場合はこの動作を繰り返す。シングルカラーとして選択できる色がＢｋ，Ｃ，Ｍ，Ｙの値と同じ値で実現できない場合は、色補正によってそれにあった値が算出されることは言うまでもない。シングルカラーモードの場合は、モードや画像分離結果によらずに信号が算出される。
【００４４】
図４は有彩無彩判定部２７のブロック図である。
この図に基づき有彩無彩判定の動作について述べる。
イメージスキャナ４００から出力された各画素毎のＲ，Ｇ，Ｂ各８ビットのデータは、画像処理部のγ補正部２１によって色毎の階調バランスを揃えられ、差検出部４１で検出されたＲ，Ｇ，Ｂの差の最大値（ｄ［ｉ，ｊ］＝ΔＲＧＢ）を最大値算出部４２で算出する。次にＴＨ比較部４３、カウンタ・ＴＨ比較ＩＣ４４を用いてｄ［ｉ，ｊ］が４ライン×４画素単位で定められたしきい値ＴＨ１よりも小さい画素の数を数える。この数が１６画素中しきい値ＴＨ２よりも多く存在したとき、このブロックを有彩ブロックと判定する（ＳＧ２＝Ｈ）。
【００４５】
このブロック毎の判定信号により有彩ブロック頻度と連続性を計数する２つのカウンタ４５，４６の何れもカウントアップするようになっている。連続性のカウンタ４６は、ブロック判定結果がＬになるとリセットされるようになっている。２つのカウンタ４５，４６のうち何れかが予め設定された値となったとき、この原稿は有彩であると判定する。有彩無彩判定はＢｋ作像時のみ動作させるか、あるいは判定結果をＢｋ作像時のみ有効とする。
【００４６】
Ｂｋ作像時に有彩判定が出なかった場合は、システムコントローラ２０はそのまま転写排紙させるように制御する。ここで得られる画像は、シングルカラー白黒モードの場合と全く同じものである。
また、有彩無彩判定部２７は図に示すように、ラインカウンタ４７、比較器４８、レジスタ４９を備えている。
【００４７】
図５は有彩無彩判定信号を利用した色補正、ＵＣＲ切り換え部のブロック図である。
まず、色はＢｋシングルモードの色補正、ＵＣＲを設定する。ここで、Ｂｋ作像用のスキャン動作を行い、同時に有彩無彩判定をスタートさせる。有彩判定が出た場合について述べる。
【００４８】
有彩判定が出た場合、セレクタ５０を介して直ちに有彩判定信号は色補正部（マスキング回路；補色生成部２２）及びＵＣＲ部２３に送られ、色補正部、ＵＣＲ部２３はフルカラー用に切り換えられる。ＢＫ作像用のスキャンが終わると、次のフルカラー用処理のままで、Ｃ，Ｍ，Ｙの作像を行う。Ｂｋ作像中の判定結果はＢｋ作像終了までにシステムコントローラ２０に送られ、イメージスキャナ４００、プリンタ１００等がフルカラー動作を取るように制御される。
【００４９】
ここで用いられるフルカラー用のＵＣＲは、なるべく高い値、望ましくは１００％がよい。もし低いＵＣＲ比率が用いられていると、Ｃ，Ｍ，Ｙ作像時に有彩判定が出るまで用いられていた充分な濃度を持ったＢｋシングルモード用に処理された画像の上にＵＣＲ後のＣ，Ｍ，Ｙが載ってしまい、濃度が高くなってしまうためである。
【００５０】
あるいは、次のような方式でもよい。Ｂｋ作像中に有彩判定が出たアドレスを記憶しておき、この後は通常の１００％未満のＵＣＲ比率を用いてＢｋの作像を行う。この後、Ｃ，Ｍ，Ｙに対しては、記憶しておいたアドレスまでは１００％ＵＣＲで変換を行い、このアドレス以降は通常のＵＣＲ比率で変換を行うようにする。
【００５１】
この場合、全体の階調を保つため、ＵＣＲの切り換えに従い階調処理のパラメータを連動して切り換えてもよい。また、Ｃ，Ｍ，Ｙ時の切り換えは、有彩無彩判定部２７から切り換え信号を出してもよいし、アドレスをシステムコントローラ２０に送っておき、ここから切り換え信号を出力してもよい。
【００５２】
さて、上記有彩無彩判定において、少なくとも３ラインと３画素の遅延が存在することは明白である。そこでγ補正部２１と色変換部（補色生成部２２）、あるいは色変換部とＵＣＲ部２３の間にデータを遅延させておくディレイメモリ２９を配置し、３ライン３画素以上遅延させるようにする。同期を取りやすくするためにライン単位で遅延量を決定してもよい。
また、リピート時（すなわち１対１の複写ではなく、同一原稿で複数枚の画像を得ようとする場合）は１枚目のみ上述したような動作をさせ、２枚目以降は１枚目の判定結果によって決定されたモードに従い作像する。
【００５３】
さて、以上イメージスキャナ４００から読み取って直接プリンタ１００に出力する場合について述べてきたが、色変換ユニット以前に外部インタフェースを持ちプリンタのみを用いる場合や、ＢＫ，Ｃ，Ｍ，Ｙに変換した後、再び外部ユニットに出力する場合にも、本発明は処理速度の低減に有効である。
【００５４】
次に、各ＡＤＦモード時のシーケンスについて図６を参照しながら説明する。請求項１，２記載の発明と対応する動作において、ＡＤＦ２００に原稿セット後、コピーボタンを押すと原稿給紙と共にイメージスキャナ４００のキャリッジ４０３は、ホームポジションセンサ４０４から離れ、スケール４０５より少し右側の位置に移動し、ランプを点灯し、画像読み取り状態になる。
【００５５】
一方、原稿給紙中にＡＤＦ２００は主走査のサイズを通知する。またイメージスキャナ４００は、システムコントローラ２０から送られたモードより、ＡＣＳする範囲を決定する。例えば、転写紙Ａ４で１００％で、ＡＤＦ２００よりＡ４のサイズが通知されたら、ＡＣＳする範囲はＡ４となる。
【００５６】
次にＡＤＦ２００から送られる原稿先端を示す信号が送られてきたら、原稿有彩／無彩判別を開始し、Ａ４サイズ終了後、判別を終了し、キャリッジ４０３を前記ホームポジションセンサ４０４の位置に戻し、判別結果をシステムコントローラ２０に通知し、その結果によりシングルカラー処理かフルカラー処理を行う。上記手順をまとめると、以下のようになる。
【００５７】
（１）ユーザが原稿をＡＤＦ２００にセットしてモード確定後コピーボタンを押す（原稿はＡ４、１００％、転写紙Ａ４、集約・分割等なし）。
（２）ＡＤＦ２００は原稿給紙開始と同時にキャリッジ４０３をスケール４０５より少し右側に、ランプを点灯させた状態で移動させる。
（３）ＡＤＦ２００は原稿の主走査、副走査のサイズを通知する。これとモードにより判別範囲を決める。
（４）ＡＤＦ２００はキャリッジ４０３の位置に原稿が来た時点でイメージスキャナ４００に原稿先端通過信号を送る。これにより判別を開始する。
（５）判別終了後、イメージスキャナ４００は即座にキャリッジ４０３をホームポジションまで戻す。
（６）ＡＤＦ２００は原稿通過後、原稿の後端を示す信号をイメージスキャナ４００に通知する。これで判別を終了し、判別結果をシステムコントローラ２０に通知して、その結果に応じてシングルカラーかフルカラーのシーケンスを開始する。
【００５８】
同様に請求項３の発明に記載した見開き原稿分割時においては、例えば、原稿Ａ３で転写紙Ａ４で１００％の場合は、Ａ３の原稿のＡ４サイズ各々において判別するようにする。つまり読み取るべき原稿の範囲のみで判別することになる。
【００５９】
同様に請求項４の発明に記載した片面原稿２枚集約時は、原稿２枚分のサイズで有彩か無彩か判断する。つまり、Ａ４原稿２枚で、転写紙Ａ３で１００％のときは前記Ａ４原稿２枚分で判別する。この際、１枚目と２枚目には間があるので、それは原稿の先端及び後端を示す信号により判断する。
【００６０】
請求項５の発明に記載した両面原稿分割及び両面原稿両面コピー時は、一旦、ＡＤＦ２００の反転部２１８（図６）にて反転させた後、原稿をスケール４０５の位置まで戻すので、原稿サイズ分、キャリッジ４０３を移動して原稿反転後、原稿を戻す際に原稿を読み取って有彩か無彩かを判別する。つまり、反転動作中までには原稿サイズが分かるので、そのサイズ分だけキャリッジ４０３を移動させておき、反転された原稿が通過時に判別回路を動作させる。
【００６１】
【発明の効果】
請求項１ないし６記載の発明によれば、プレスキャンレス方式による原稿有彩／無彩自動判定において、ＡＤＦ使用時、ＡＤＦを用いた全てのモードに応じてコピー開始前の原稿給紙中に有彩か無彩かの判別を行うようにしたので、プレスキャン方式のようなファーストコピーに至るまでの遅延を無くし、かつ、従来のプレスキャンレス方式の欠点である白黒モード時の画質の低下も回避することができる。
【図面の簡単な説明】
【図１】１ドラム方式のディジタルカラー複写機の構成図である。
【図２】本発明の一実施の形態に係るディジタルカラー複写機のシステムブロック図である。
【図３】フルカラーモード時のＵＣＲの説明図である。
【図４】有彩無彩判定部のブロック図である。
【図５】有彩無彩判定信号を利用した色補正、ＵＣＲ切り換え部のブロック図である。
【図６】ＡＤＦモード実行時のイメージスキャナのキャリッジの位置を示す説明図である。
【符号の説明】
２０  システムコントローラ（制御手段）
１００  プリンタ
２００  ＡＤＦ
３００  操作部
４００  イメージスキャナ
４０３  キャリッジ
【図１】
0003705639.tif 000002
【図２】
0003705639.tif 000003
【図３】
0003705639.tif 000004
【図４】
0003705639.tif 000005
【図５】
0003705639.tif 000006
【図６】
0003705639.tif 000007